(57)【特許請求の範囲】
【請求項１】
乗客が乗るかご室と、かご室の上部に設けられて機械部品を収納するかご上部室とで構成され、かご室の正面にはかご室ドア、かご室の背面には展望用ガラスを配置し、かご室とかご上部室の高さ方向側面には立枠を配置し、立枠により形成されるガイドローラを介して建造物に固定されたガイドレールに対向せしめる展望用エレベータかごであって、
かご上部室の上部を形成する外装板を立枠に向けて傾斜させ、雨水を立枠からガイドローラ方向に導くことを特徴とする展望用エレベータかご。
【請求項２】
請求項１に記載の展望用エレベータかごであって、
かご室の上部を形成する上天井板を立枠に向けて傾斜させ、雨水を立枠からガイドローラ方向に導くことを特徴とする展望用エレベータかご。
【請求項３】
請求項１または請求項２に記載の展望用エレベータかごであって、
かご室背面の展望用ガラスの上部を外側に向けて傾斜させ、雨水が展望窓に溜まらないようにしたことを特徴とする展望用エレベータかご。
【請求項４】
請求項１から請求項３のいずれか１項に記載の展望用エレベータかごであって、
かご室の下部を形成する外装板を傾斜させ、雨水が溜まらないようにしたことを特徴とする展望用エレベータかご。
【請求項５】
請求項１から請求項４のいずれか１項に記載の展望用エレベータかごであって、
前記かご室に連結されたカウンターウェイトの高さ方向側面に立枠を配置し、立枠により形成されるガイドローラを介してガイドレールに対向せしめるとともに、カウンターウェイトの上面を前記立枠に向けて傾斜させ、雨水を立枠からガイドローラ方向に導くことを特徴とする展望用エレベータかご。
【発明の詳細な説明】
【技術分野】
【０００１】
本発明は、屋外展望用エレベータにおけるかご構造に関するものである。
【背景技術】
【０００２】
近年、エレベータ建築基準法改正による設置条件の緩和、建築デザインの多様化により、外部の景色を展望可能な屋外展望用エレベータの設置が増加傾向にある。
【０００３】
このような屋外展望用エレベータのかご装置においては、かご室背面に展望用ガラスが設けられ、この展望用ガラスの上下部を多面体形状の外装パネルで覆うことにより、かご室上部に設置されるかご上部用品を内装する構成となっている。係る屋外展望用エレベータでは、屋外環境に設置されることから雨水による影響を直接受けることが問題である。
【０００４】
このための従来のかご装置としては、特許文献１（特開２００２−２８４０８７号公報）に記載のものが知られている。特許文献１の屋外展望用エレベータでは、雨水が乗場と乗りかごの間に落下侵入し、乗客を雨水に晒してしまうことを防止している。特許文献１では、乗場側と乗りかご側にそれぞれ、乗場側飛散侵入防止部材と乗りかご側飛散侵入防止部材を傾斜して設けることで、雨水が乗場と乗りかごの間の隙間に落下侵入することを防止している。
【先行技術文献】
【特許文献】
【０００５】
【特許文献１】特開２００２−３６２８６９号公報
【発明の概要】
【発明が解決しようとする課題】
【０００６】
特許文献1によれば、雨水が乗場と乗りかごの間の隙間に落下侵入することを防止し、乗客が濡れてしまうことを阻止している。然しながら屋外展望用エレベータでは、それ以外の部位においても屋外環境の影響を受けている。
【０００７】
例えば、屋外展望用エレベータのかご装置においては、降雨時、雨水がかご上面外装パネルからかご側面外装パネルを伝わり、或いは屋根外装パネルから展望用ガラスを伝わることでエレベータかごを汚すことがある。また最終的には雨水等がエレベータかごの下方に落ちるので、通行人に不快な気持ちを与えるなどの問題がある。さらに、雨水や雪のかたまりがかご側面外装パネルを伝わって落ちてくると、展望用ガラスが曇ることがあり、乗客が外部の景色を見る際、不快に感じるという問題がある。
【０００８】
上記の問題点は、エレベータかごにおいて生じるものであるが、このうち雨水等が下方に落ち、通行人に不快な気持ちを与える点について、カウンターウェートについても同じ課題を有している。
【０００９】
以上のことから本発明においては、屋外展望用エレベータにおいて、降雨時にかごなどで生じる諸問題を解決することができる屋外展望用エレベータを提供することを目的とする。
【課題を解決するための手段】
【００１０】
本発明では、乗客が乗るかご室と、かご室の上部に設けられて機械部品を収納するかご上部室とで構成され、かご室の正面にはかご室ドア、かご室の背面には展望用ガラスを配置し、かご室とかご上部室の高さ方向側面には立枠を配置してガイドレールに対向せしめる展望用エレベータかごであって、かご上部室の上部を形成する外装板を立枠に向けて傾斜させ、雨水を立枠方向に導くことを特徴とする。
【発明の効果】
【００１１】
本発明によれば、屋外展望用エレベータにおいて、かごに水を溜まらないようにすることで、屋外において水溜り防止（サビ防止）を図ることができる。
【図面の簡単な説明】
【００１２】
【図１】本発明に係る展望用エレベータかごの側面図を示す図。
【図２】一般的な展望用エレベータかごの昇降系の構成を示す図。
【図３】本発明に係る展望用エレベータかごの背面図を示す図。
【図４】カウンターウェートにおける対策を示す図．
【発明を実施するための形態】
【００１３】
以下、本発明の実施の形態を図面に示した実施例により説明する。
【実施例】
【００１４】
図２に示すように、一般的なエレベータかごの昇降系は以下のように構成されている。まず、上部の機械室１１などに巻上機１が設置され、この巻上機１にメインロープ２が掛け渡されている。メインロープ２の一方端部側にはエレベータかご３が吊下され、ロープの他端部にはカウンターウェート４が取付けられている。このエレベータかご３は、エレベータかご３の両側部（図示の手前側）近傍に高さ方向に配設されるかご用ガイドレール（図示せず）に沿って昇降する。カウンターウェート４についても、カウンターウェート両側部近傍に配設されるガイドレールに沿って昇降する構成となっている。なおエレベータが展望用エレベータである場合には、カウンターウェートの昇降路は、極力展望用エレベータかご３の乗客の視界の妨げとならない位置に配置される。
【００１５】
また図２において、１０は展望用エレベータかご３を外壁側に設置している建造物であり、建造物各階には建造物側エレベータドア１２が設けられている。展望用エレベータかご３のかごドア５は、各階に停止した状態で建造物側エレベータドア１２に対向する位置に位置づけられる。
【００１６】
図２の展望用エレベータかご３において、かごドア５が取り付けられた面を正面とするとき、展望用エレベータかご３の両側面（図示の手前側）と背面（図示の右側）は、乗客の視界確保のためにガラスなどの透明部材で構成されている。さらには展望用エレベータかご３の上面と下面も可能な範囲で透明部材により構成されていてもよい。
【００１７】
図１は、本発明に係る展望用エレベータかごの側面図を示している。展望用エレベータかご３は、乗客が乗るかご室３Ａと、かご室３Ａの上部に形成されて例えばドア開閉機構、空調機等のかご上部用品を収納しているかご上部室３Ｂとで構成されている。
【００１８】
このうち乗客が乗るかご室３Ａは、主として外装パネル６により箱型に形成され、その一部にかごドア５や展望ガラス７を配置している。かご室３Ａは、図１の図示左側（正面側）にかごドア５が取付けられ、図１の図示右側（背面側）に展望ガラス７を配置したかご本体である。このように、かご室３Ａは、かごドア５および展望ガラス７を除くかご本体の四方を外装パネル６で囲み形成しているが、かつ外装パネル６は、かご室３Ａよりも上方に伸びるように設けられている。かご室の上方に延伸して設けられた外装パネル６によって、かご上部室３Ｂが形成されている。
【００１９】
図１は展望用エレベータかごの側面図を示しているので、図示前面の外装パネル６は、かご側面外装パネル６を表している。このかご室の両側面側に対応するかご側面外装パネル６のほぼ中央部の縦方向にそれぞれ立枠１３が取付けられている。エレベータは立枠１３により、エレベータかご３の両側部（図示の手前側）近傍に高さ方向に配設されるかご用ガイドレール（図示せず）に沿って昇降する。また立枠１３の上部で、エレベータかご３はメインロープ２により吊下げられている。
【００２０】
このように、かご室３Ａとかご上部室３Ｂとで構成されたかごは、その四面、及び上下面のかなりの部分を外装パネル６で形成した箱体である。特に側面（正面にはかごドア５、背面には展望ガラス７を配置）と上下面は外装パネル６で形成されている。
【００２１】
本発明においては、屋外展望用エレベータにおいて、かごに水が溜まらないようにするために、上記外装パネル６を以下のように配置したものである。まずかご室３Ａの上部に形成されたかご上部室３Ｂに着目する。かご上部室３Ｂは、かご室の上部に設置される例えばドア開閉機構、空調機等のかご上部用品をかご側面外装パネルと、かご上面外装パネルとにより覆うものである。
【００２２】
本発明では、かご上部室３Ｂについて、かご上部室３Ｂの上面を形成する上面外装パネル６ＢＵを図１の側面図では、立枠１３方向に傾斜して配置する。図示側面位置Ｐ１よりも中央部位置Ｐ２のほうが低くなるように、かご上部室３Ｂの上面を形成する上面外装パネル６ＢＵを傾斜して配置する。
【００２３】
図３は、本発明に係る展望用エレベータかごの背面図を示す図である。図３の背面図では立枠１３が左右に位置するので、かご上部室３Ｂの上面を形成する上面外装パネル６ＢＵは、図示中央部位置Ｐ１よりも側部位置Ｐ２のほうが低くなるように、かご上部室３Ｂの上面を形成する上面外装パネル６ＢＵを傾斜して配置したことになる。
【００２４】
これにより、上面外装パネル６ＢＵから立枠１３により形成されるガイドローラ方向に伝って下方に雨水を落下させるようにし、降雨時、雨水がかご上面外装パネル６ＢＵから展望用ガラス７に伝わることを防止することができる。
【００２５】
さらに本発明では、かご室３Ａの上部の上天井板８に着目する。かご室３Ａの上部の上天井板８も、基本的には上面外装パネル６ＢＵと同じ考え方を採用して傾斜を定めておく。これにより、かご室３Ａの上部の上天井板８から立枠１３により形成されるガイドローラ方向に伝って下方に雨水を落下させるようにし、降雨時、雨水がかご室３Ａの上部の上天井板８から展望用ガラス７に伝わることを防止することができる。
【００２６】
さらに本発明では、展望ガラス７の上部７Ｕに着目する。この部分は外装パネル６ではないが、上部面を外側に向けて傾斜させておくことで、降雨時、雨水が展望窓に溜まらないようにすることができる。
【００２７】
さらに本発明では、かご室３Ａの下側外装パネル６ＡＬに着目する。かご室３Ａの下側外装パネル６ＡＬにも傾斜をつけることにより、かご室３Ａの下側外装パネル６ＡＬにおいても雨水が溜まらないようにし、サビ防止を図る。この場合の傾斜方向も、立枠１３方向に雨水を誘導するものである。これらにより、かごにて積極的に排水して水を溜まらないような構造とすることで、屋外において水溜り防止（サビ防止）を図ることができる。
【００２８】
以上、エレベータかごにおける降雨時対策について説明したが、雨水等が下方に落ち、通行人に不快な気持ちを与えるという点からは、カウンターウェートについても対策をしておくのがよい。
【００２９】
図４はカウンターウェートにおける対策を示す図である。図４はエレベータかごを上方から見た図であり、エレベータかご３を上下可動可能に支持するために建造物１０側から左右２組のレール支持用梁２０Ａ，２０Ｂが設けられている。レール支持用梁２０Ａ，２０Ｂからはレールブラケット２１Ａ，２１Ｂ１，２１Ｂ２が延伸して固定されている。
【００３０】
このうち２１Ａはかご用レールブラケットであり、かご３のガイドレールＲＡを支持している。また１３Ａはエレベータかご４の側面に設けられた立枠１３であり、立枠１３側のガイドローラ（図示せず）がかご用レールブラケット２１Ａと押圧接触することでかご３の上下動を可能としている。
【００３１】
２１Ｂ２はカウンターウェート用レールブラケットであり、カウンターウェート４のガイドレールＲＷ２を支持している。カウンターウェート４の側面には立枠１３Ｃが設けられており、立枠１３Ｃ側のガイドローラ（図示せず）がカウンターウェート用レールブラケット２１Ｂ２と押圧接触することでカウンターウェート４の上下動を可能としている。
【００３２】
２１Ｂ１はかご/カウンターウェート兼用レールブラケットである。レールブラケット２１Ｂ１のかご側にはガイドレールＲＢを支持し、カウンターウェート４側にはガイドレールＲＷ２を支持している。１３Ｂ，１３Ｄは、かご３およびカウンターウェート４の立枠であり、これらの構造及ぶ機能は他の立枠と同じであるので説明を省略する。
【００３３】
本発明の実施例では、カウンターウェート４に対しても降雨対策を行うのがよい。図４においてカウンターウェート４中央部Ｐ１の高さ位置をカウンターウェート４のガイドレールＲ側Ｐ２の高さ位置よりも高くしておく。これによりカウンターウェート４に降りかかる降雨は立枠１３からガイドレールＲ側に流れ、雨滴の飛散により下方の通行人に不快な気持ちを与えることを防止できる。
また１３Ａはエレベータかご４の側面に設けられた立枠１３であり、立枠１３側のガイドローラ（図示せず）がかご用レールブラケット２１Ａと押圧接触することで上下動を可能としている。
【符号の説明】
【００３４】
１：巻上機
２：メインロープ
３：展望用エレベータかご
３Ａ：かご室
３Ｂ：かご上部室
４：カウンターウェート
５：かごドア
６：外装パネル
６ＡＬ：かご室３Ａの下側外装パネル
６ＢＵ：かご上部室３Ｂの上面外装パネル
７：展望用ガラス
７Ｕ：展望ガラス７の上部
８：上天井板
１０：建造物
１１：上部機械室
１２：建造物側エレベータドア
１３Ａ，１３Ｂ：かご用立枠
１３Ｃ，１３Ｄ：カウンターウェート用立枠
２０：レール支持用梁
２１：レールブラケット
ＲＡ，ＲＢ：かご用ガイドレール
ＲＷ：カウンターウェート用ガイドレール
【図１】
0006373745.tif 000002
【図２】
0006373745.tif 000003
【図３】
0006373745.tif 000004
【図４】
0006373745.tif 000005